(57)【要約】【課題】移動体の内部等で行う決済処理において利用できない。【解決手段】カード識別子と携帯識別子との組である１以上の認証情報を格納し、決済を識別する第一決済識別子とカード識別子とを有する１以上のカード関連情報と、決済を識別する第二決済識別子を有する１以上の携帯関連情報とを受信するサーバ受信部と、サーバ受信部が受信した１以上のカード関連情報、１以上の携帯関連情報、および１以上の認証情報を用いて、決済が正当であるか否かを判断するサーバ判断部と、サーバ判断部が決済が正当であると判断した場合のみ、認証許可に対応する処理を行うサーバ処理部とを具備し、サーバ受信部が受信した携帯関連情報は、携帯端末から携帯識別子を近距離無線通信により受信した決済端末が送信した情報、または決済識別子を近距離無線通信により受信した携帯端末が送信した情報であるサーバ装置により、移動体の内部等で行う決済処理において利用できる。【選択図】図１
2014191674.tif 000002
【特許請求の範囲】
【請求項１】
商品を購入するユーザが保持している携帯端末と、商品購入の決済を行う決済端末と、サーバ装置とを具備する決済システムにおけるサーバ装置であり、
決済カードを識別するカード識別子と、携帯端末を識別する携帯識別子との組である１以上の認証情報を格納し得る認証情報格納部と、
決済を識別する第一決済識別子とカード識別子とを有する１以上のカード関連情報と、決済を識別する１以上の第二決済識別子を有する１以上の携帯関連情報とを受信するサーバ受信部と、
前記サーバ受信部が受信した１以上のカード関連情報、１以上の携帯関連情報、および前記認証情報格納部の１以上の認証情報を用いて、決済が正当であるか否かを判断するサーバ判断部と、
前記サーバ判断部が決済が正当であると判断した場合のみ、認証許可に対応する処理を行うサーバ処理部とを具備し、
前記サーバ受信部が受信した携帯関連情報は第二決済識別子を近距離無線通信により受信した前記携帯端末が送信した情報、
または前記サーバ受信部が受信した携帯識別子は前記携帯端末から近距離無線通信により受信した前記決済端末が送信した情報であるサーバ装置。
【請求項２】
前記認証情報は、
第一決済識別子と第二決済識別子との組である１以上の決済組情報をも有し、
前記携帯端末は、
１以上の第二決済識別子を、近距離無線通信により受信する携帯受信部と、
前記携帯受信部が受信した１以上の第二決済識別子を有する携帯関連情報を前記サーバ装置に送信する携帯送信部とを具備し、
前記決済端末は、
第一決済識別子を格納し得る決済格納部と、
前記決済カードからカード識別子を取得する第一決済取得部と、
前記決済格納部から第一決済識別子を取得する第二決済取得部と、
前記第一決済取得部が取得したカード識別子と、前記第二決済取得部が取得した第一決済識別子とを有するカード関連情報を前記サーバ装置に送信する第一決済送信部とを具備し、
前記サーバ判断部は、
前記サーバ受信部が受信した１以上のカード関連情報が有するカード識別子に対応する第一決済識別子と、前記サーバ受信部が受信した携帯関連情報が有する１以上の第二決済識別子のうちの一の第二決済識別子との組である決済組情報が、前記認証情報格納部に存在する場合に、決済が正当であると判断する決済システムにおける請求項１記載のサーバ装置。
【請求項３】
前記サーバ装置は、
決済端末から受信したカード識別子に対応する携帯識別子によって識別される携帯端末に対して、携帯関連情報の送信指示を送信するサーバ送信部をさらに具備し、
前記携帯端末の携帯受信部は、
前記サーバ装置から携帯関連情報の送信指示を受信し、
前記携帯送信部は、
前記携帯受信部が携帯関連情報の送信指示を受信したことに対応して、前記受信した１以上の第二決済識別子を有する携帯関連情報を前記サーバ装置に送信する決済システムにおける請求項２記載のサーバ装置。
【請求項４】
前記携帯関連情報は、第二決済識別子と携帯識別子とを有し、
前記カード関連情報が有する第一決済識別子と前記携帯関連情報が有する第二決済識別子とは、決済を識別する同じ種類の情報である決済識別子であり、
前記サーバ受信部が受信した１以上のカード関連情報、および１以上の携帯関連情報のうちで、同一の決済識別子と対になるカード識別子と携帯識別子の組を取得するサーバ取得部をさらに具備し、
前記サーバ判断部は、
前記サーバ取得部が取得したカード識別子と携帯識別子の組と一致する認証情報が、前記認証情報格納部に存在するか否かを判断する請求項１記載のサーバ装置。
【請求項５】
前記携帯端末は、
携帯識別子を格納し得る携帯格納部と、
前記決済端末から決済識別子を、近距離無線通信により受信する携帯受信部と、
前記携帯格納部の携帯識別子と、前記携帯受信部が受信した決済識別子とを有する携帯関連情報を前記サーバ装置に送信する携帯送信部とを具備し、
前記決済端末は、
前記決済カードからカード識別子を取得する第一決済取得部と、
決済識別子を取得する第二決済取得部と、
前記第一決済取得部が取得したカード識別子と、前記第二決済取得部が取得した決済識別子とを有するカード関連情報を前記サーバ装置に送信する第一決済送信部と、
前記第二決済取得部が取得した決済識別子を、近距離無線通信により前記携帯端末に送信する第二決済送信部とを具備する決済システムにおける請求項４記載のサーバ装置。
【請求項６】
前記携帯受信部は、
２以上の決済端末から２以上の第二決済識別子を、近距離無線通信により受信し、
前記携帯送信部は、
前記携帯格納部に格納されている携帯識別子と、前記携帯受信部が受信した２以上の決済識別子とを有する携帯関連情報を前記サーバ装置に送信し、
前記サーバ受信部は、
決済識別子とカード識別子とを有する１以上のカード関連情報と、２以上の決済識別子と携帯識別子とを有する１以上の携帯関連情報とを受信し、
前記サーバ取得部は、
前記サーバ受信部が受信した１以上のカード関連情報および１以上の携帯関連情報のうちで、カード関連情報に含まれる決済識別子と同一の決済識別子を一部に含む携帯関連情報が有する携帯識別子と、当該対応するカード関連情報が有するカード識別子とを取得する請求項５記載のサーバ装置。
【請求項７】
前記携帯端末は、
携帯識別子を格納し得る携帯格納部と、
近距離無線通信により、前記携帯格納部の携帯識別子を前記決済端末に送信する携帯送信部とを具備し、
前記決済端末は、
前記決済カードからカード識別子を取得する第一決済取得部と、
決済識別子を取得する第二決済取得部と、
近距離無線通信により、前記携帯識別子を前記携帯端末から受信する決済受信部と、
前記第二決済取得部が取得した決済識別子と前記第一決済取得部が取得したカード識別子とを有する１以上のカード関連情報と、前記第二決済取得部が取得した決済識別子と前記決済受信部が受信した携帯識別子とを有する１以上の携帯関連情報とを、前記サーバ装置に送信する決済送信部とを具備する決済システムにおける請求項４記載のサーバ装置。
【請求項８】
前記携帯端末は、
携帯識別子を格納し得る携帯格納部と、
近距離無線通信により、決済識別子とカード識別子とを、前記決済端末から受信する携帯受信部と、
前記携帯格納部に格納されている携帯識別子と前記携帯受信部が受信した決済識別子とを有する携帯関連情報、および前記携帯受信部が受信したカード識別子と前記携帯受信部が受信した決済識別子とを有するカード関連情報を前記サーバ装置に送信する携帯送信部とを具備し、
前記決済端末は、
前記決済カードからカード識別子を取得する第一決済取得部と、
決済識別子を取得する第二決済取得部と、
近距離無線通信により、前記第一決済取得部が取得したカード識別子と前記第二決済取得部が取得した決済識別子とを、前記携帯端末に送信する決済送信部とを具備する決済システムにおける請求項４記載のサーバ装置。
【請求項９】
前記決済端末は、
前記第一決済取得部が前記カード識別子を取得したことに対応して、決済識別子を生成する決済識別子生成部をさらに具備する請求項４から請求項８いずれか一項に記載のサーバ装置。
【請求項１０】
決済カードを識別するカード識別子と、携帯端末を識別する携帯識別子との組である１以上の認証情報を格納し得る認証情報格納部と、
決済を識別する第一決済識別子とカード識別子とを有する１以上のカード関連情報と、決済を識別する第二決済識別子を有する１以上の携帯関連情報とを受信するサーバ受信部と、
前記サーバ受信部が受信した１以上のカード関連情報、１以上の携帯関連情報、および前記認証情報格納部の１以上の認証情報を用いて、決済が正当であるか否かを判断するサーバ判断部と、
前記サーバ判断部が決済が正当であると判断した場合のみ、認証許可に対応する処理を行うサーバ処理部とを具備し、
前記サーバ受信部が受信した携帯関連情報は第二決済識別子を近距離無線通信により受信した前記携帯端末が送信した情報、または、または前記サーバ受信部が受信した携帯識別子は前記携帯端末から近距離無線通信により受信した前記決済端末が送信した情報であるサーバ装置。
【請求項１１】
請求項２から請求項９いずれか一項に記載の決済システムを構成する携帯端末。
【請求項１２】
請求項２から請求項９いずれか一項に記載の決済システムを構成する決済端末。
【発明の詳細な説明】
【技術分野】
【０００１】
本発明は、クレジットカード等を用いた決済システム等に関するものである。
【背景技術】
【０００２】
従来、無線式携帯端末装置の現在位置情報を用いて、カードの不正利用を判別するカード利用正当性判定方法があった（例えば、特許文献１参照）。この判定方法を実現するカード取引システムは、カード取引端末装置とカード認証ホストとをネットワークを介して結ぶことによりオンラインでのカード取引を可能とするとともに、無線式携帯端末装置の現在位置情報を管理する通信会社ホストを、ネットワークを介して更に結んだカード取引システムである。そして、本カード取引システムにおいて、カード取引要求時には、カード取引端末装置から送信されてくるデータに基づき、そのときのカード利用場所情報を取得する機能と、カード取引端末装置から送信されてくるカード情報に基づき、当該カードの正当利用者の所持する無線式携帯端末装置を特定し、通信会社ホストを介して当該無線式携帯端末装置の現在位置情報を取得する機能と、それら取得されたカード利用場所情報と、無線式携帯端末装置の現在位置情報とに基づき、当該カード利用の正当性を判定する機能と、を有する。
【０００３】
また、ＧＰＳ機能付き携帯電話によるクレジットカード認証システムがあった（例えば、特許文献２参照）。本システムにおいて、利用者の位置を特定するためのＧＰＳ機能付き携帯電話とクレジットカードを利用者に一緒に所持させる。また、各加盟店におけるＰＯＳ端末又は銀行やカードローン会社のＡＴＭの設置場所を特定するため、ＰＯＳ端末又はＡＴＭにＧＰＳ受信機を配設する。そして、商品や提供サービスの代金を支払う場合又はキャッシングを行う場合、利用者の位置情報を、キャリアを経由してＧＰＳサービス会社に送信し、更にＰＯＳ端末又はＡＴＭの位置情報を決済代行サービス会社を経由してＧＰＳサービス会社に送信し、該ＧＰＳサービス会社にて利用者の位置とＰＯＳ端末又はＡＴＭの設置場所を照合し、一致する場合にのみクレジットカードの使用を認証する。
【先行技術文献】
【特許文献】
【０００４】
【特許文献１】特開２００２−１４０６４６号公報（第１頁、第１図等）
【特許文献２】特開２００３−１５０８８３号公報（第１頁、第１図等）
【発明の概要】
【発明が解決しようとする課題】
【０００５】
しかしながら、従来技術においては、電車や飛行機等の移動体の内部、地下等で行う決済処理において、利用できなかった。
【０００６】
つまり、特許文献１に係る技術において、携帯端末と決済端末が、例えば、新幹線など、高速に移動する移動体に存在する場合、無線式携帯端末装置の現在位置情報が取得されたタイミングと、カード利用場所情報を取得するタイミングとのずれが発生している場合、無線式携帯端末装置の存在場所とカード利用場所情報とが異なる場所であると判断される結果、決済が行われない、という課題があった。
【０００７】
また、特許文献２に係る技術において、特許文献１に係る技術の課題に加えて、地下などのＧＰＳ受信機が機能しない場所では利用できない、という課題があった。
【０００８】
上記の課題に鑑み、本発明は、決済端末とユーザが保持している携帯端末との相対的な位置が所定の範囲内にあることを保証した上で、決済処理を行うことが可能となる。
【課題を解決するための手段】
【０００９】
本第一の発明のサーバ装置は、商品を購入するユーザが保持している携帯端末と、商品購入の決済を行う決済端末と、サーバ装置とを具備する決済システムにおけるサーバ装置であり、決済カードを識別するカード識別子と、携帯端末を識別する携帯識別子との組である１以上の認証情報を格納し得る認証情報格納部と、決済を識別する第一決済識別子とカード識別子とを有する１以上のカード関連情報と、決済を識別する１以上の第二決済識別子を有する１以上の携帯関連情報とを受信するサーバ受信部と、サーバ受信部が受信した１以上のカード関連情報、１以上の携帯関連情報、および認証情報格納部の１以上の認証情報を用いて、決済が正当であるか否かを判断するサーバ判断部と、サーバ判断部が決済が正当であると判断した場合のみ、認証許可に対応する処理を行うサーバ処理部とを具備し、サーバ受信部が受信した携帯関連情報は第二決済識別子を近距離無線通信により受信した携帯端末が送信した情報、またはサーバ受信部が受信した携帯識別子は携帯端末から近距離無線通信により受信した決済端末が送信した情報であるサーバ装置である。
【００１０】
かかる構成により、電車や飛行機等の移動体の内部、地下等で行う地下等で行う決済処理においても利用できる。
【００１１】
また、本第二の発明のサーバ装置は、第一の発明に対して、認証情報は、第一決済識別子と第二決済識別子との組である１以上の決済組情報をも有し、携帯端末は、１以上の第二決済識別子を、近距離無線通信により受信する携帯受信部と、携帯受信部が受信した１以上の第二決済識別子を有する携帯関連情報をサーバ装置に送信する携帯送信部とを具備し、決済端末は、第一決済識別子を格納し得る決済格納部と、決済カードからカード識別子を取得する第一決済取得部と、決済格納部から第一決済識別子を取得する第二決済取得部と、第一決済取得部が取得したカード識別子と、第二決済取得部が取得した第一決済識別子とを有するカード関連情報をサーバ装置に送信する第一決済送信部とを具備し、サーバ判断部は、サーバ受信部が受信した１以上のカード関連情報が有するカード識別子に対応する第一決済識別子と、サーバ受信部が受信した携帯関連情報が有する１以上の第二決済識別子のうちの一の第二決済識別子との組である決済組情報が、認証情報格納部に存在する場合に、決済が正当であると判断する決済システムにおけるサーバ装置である。
【００１２】
かかる構成により、電車や飛行機等の移動体の内部、地下等で行う決済処理においても利用できる。
【００１３】
また、本第三の発明のサーバ装置は、第一の発明に対して、携帯関連情報は、第二決済識別子と携帯識別子とを有し、カード関連情報が有する第一決済識別子と携帯関連情報が有する第二決済識別子とは、決済を識別する同じ種類の情報である決済識別子であり、サーバ受信部が受信した１以上のカード関連情報、および１以上の携帯関連情報のうちで、同一の決済識別子と対になるカード識別子と携帯識別子の組を取得するサーバ取得部をさらに具備し、サーバ判断部は、サーバ取得部が取得したカード識別子と携帯識別子の組と一致する認証情報が、認証情報格納部に存在するか否かを判断するサーバ装置である。
【００１４】
かかる構成により、電車や飛行機等の移動体の内部、地下等で行う決済処理においても利用できる。
【００１５】
また、本第四の発明のサーバ装置は、第三の発明に対して、携帯端末は、携帯識別子を格納し得る携帯格納部と、決済端末から決済識別子を、近距離無線通信により受信する携帯受信部と、携帯格納部の携帯識別子と、携帯受信部が受信した決済識別子とを有する携帯関連情報をサーバ装置に送信する携帯送信部とを具備し、決済端末は、決済カードからカード識別子を取得する第一決済取得部と、決済識別子を取得する第二決済取得部と、第一決済取得部が取得したカード識別子と、第二決済取得部が取得した決済識別子とを有するカード関連情報をサーバ装置に送信する第一決済送信部と、第二決済取得部が取得した決済識別子を、近距離無線通信により携帯端末に送信する第二決済送信部とを具備する決済システムにおけるサーバ装置である。
【００１６】
かかる構成により、電車や飛行機等の移動体の内部、地下等で行う決済処理においても利用できる。
【００１７】
また、本第五の発明のサーバ装置は、第四の発明に対して、携帯受信部は、２以上の決済端末から２以上の決済識別子を、近距離無線通信により受信し、携帯送信部は、携帯格納部に格納されている携帯識別子と、携帯受信部が受信した２以上の決済識別子とを有する携帯関連情報をサーバ装置に送信し、サーバ受信部は、決済識別子とカード識別子とを有する１以上のカード関連情報と、２以上の決済識別子と携帯識別子とを有する１以上の携帯関連情報とを受信し、サーバ取得部は、サーバ受信部が受信した１以上のカード関連情報および１以上の携帯関連情報のうちで、カード関連情報に含まれる決済識別子と同一の決済識別子を一部に含む携帯関連情報が有する携帯識別子と、対応するカード関連情報が有するカード識別子とを取得するサーバ装置である。
【００１８】
かかる構成により、電車や飛行機等の移動体の内部、地下等で行う決済処理においても利用できる。
【００１９】
また、本第六の発明のサーバ装置は、第三の発明に対して、携帯端末は、携帯識別子を格納し得る携帯格納部と、近距離無線通信により、携帯格納部の携帯識別子を決済端末に送信する携帯送信部とを具備し、決済端末は、決済カードからカード識別子を取得する第一決済取得部と、決済識別子を取得する第二決済取得部と、近距離無線通信により、携帯識別子を携帯端末から受信する決済受信部と、第二決済取得部が取得した決済識別子と第一決済取得部が取得したカード識別子とを有する１以上のカード関連情報と、第二決済取得部が取得した決済識別子と決済受信部が受信した携帯識別子とを有する１以上の携帯関連情報とを、サーバ装置に送信する決済送信部とを具備する決済システムにおけるサーバ装置である。
【００２０】
かかる構成により、電車や飛行機等の移動体の内部、地下等で行う決済処理においても利用できる。
【００２１】
また、本第七の発明のサーバ装置は、第三の発明に対して、携帯端末は、携帯識別子を格納し得る携帯格納部と、近距離無線通信により、決済識別子とカード識別子とを、決済端末から受信する携帯受信部と、携帯格納部に格納されている携帯識別子と携帯受信部が受信した決済識別子とを有する携帯関連情報、および携帯受信部が受信したカード識別子と携帯受信部が受信した決済識別子とを有するカード関連情報をサーバ装置に送信する携帯送信部とを具備し、決済端末は、決済カードからカード識別子を取得する第一決済取得部と、決済識別子を取得する第二決済取得部と、近距離無線通信により、第一決済取得部が取得したカード識別子と第二決済取得部が取得した決済識別子とを、携帯端末に送信する決済送信部とを具備する決済システムにおけるサーバ装置である。
【００２２】
かかる構成により、電車や飛行機等の移動体の内部、地下等で行う決済処理においても利用できる。
【００２３】
また、本第八の発明のサーバ装置は、第三から第七いずれかの発明に対して、決済端末は、第一決済取得部がカード識別子を取得したことに対応して、決済識別子を生成する決済識別子生成部をさらに具備するサーバ装置である。
【００２４】
かかる構成により、電車や飛行機等の移動体の内部、地下等で行う決済処理においても利用できる。
【発明の効果】
【００２５】
本発明による決済システムによれば、電車や飛行機等の移動体の内部、地下等で行う決済処理においても利用できる。
【図面の簡単な説明】
【００２６】
【図１】実施の形態１における決済システムＡの概念図
【図２】同決済システムＡのブロック図
【図３】同サーバ装置Ａ１の動作について説明するフローチャート
【図４】同携帯端末Ａ２の動作について説明するフローチャート
【図５】同決済端末Ａ３の動作について説明するフローチャート
【図６】同認証情報管理表を示す図
【図７】同店舗端末電波情報管理表を示す図
【図８】実施の形態２における決済システム１のブロック図
【図９】同サーバ装置１１の動作について説明するフローチャート
【図１０】同組情報取得処理について説明するフローチャート
【図１１】同携帯端末１２の動作について説明するフローチャート
【図１２】同決済端末１３の動作について説明するフローチャート
【図１３】実施の形態３における決済システム２のブロック図
【図１４】同決済端末２３の動作について説明するフローチャート
【図１５】実施の形態４における決済システム３のブロック図
【図１６】同決済端末３３の動作について説明するフローチャート
【図１７】上記実施の形態におけるコンピュータシステムの概観図
【図１８】同コンピュータシステムのブロック図
【発明を実施するための形態】
【００２７】
以下、決済システム等の実施形態について図面を参照して説明する。なお、実施の形態において同じ符号を付した構成要素は同様の動作を行うので、再度の説明を省略する場合がある。
【００２８】
（実施の形態１）
本実施の形態において、携帯端末と決済端末とを用いて、決済を行う決済システムであり、不正防止を確実に行う決済システムについて説明する。
【００２９】
また、本実施の形態における決済システムを構成するサーバ装置は、決済カードのカード識別子と携帯識別子とを対応付けて管理しており、かかる情報を用いて、決済が正当であるか否かを判断し、決済が正当であると判断した場合のみ、認証許可に対応する処理を行う。
【００３０】
図１は、本実施の形態における決済システムＡの概念図である。決済システムＡは、サーバ装置Ａ１、１以上の携帯端末Ａ２、および１以上の決済端末Ａ３を備える。携帯端末Ａ２は、商品を購入するユーザが保持している端末であり、携帯電話、いわゆるスマートフォン、携帯のタブレット端末等である。ここで、商品とは、サービスを含む、と考えても良い。決済端末Ａ３は、商品購入の決済を行う端末であり、例えば、決済カードのカードリーダー、決済カード（例えば、ＩＣカード）の読み取り機等である。また、ここで言う決済を行う端末とは、決済のトリガーとなる端末という程度の意味でも良く、決済処理が完結する端末である必要はない。また、決済端末Ａ３は、通常、商品の販売を行う店舗の端末である。また、決済カードとは、決済に利用するカードであり、クレジットカード、電子マネーのカード等を含み、広く解する。また、決済カードは、ポストペイのカードでも、プリペイドカードでも良い。さらに、ここで決済とは、商取引と考えても良い。
【００３１】
図２は、本実施の形態における決済システムＡのブロック図である。サーバ装置Ａ１は、認証情報格納部Ａ１１、サーバ受信部Ａ１２、サーバ送信部Ａ１３、サーバ判断部Ａ１４、サーバ処理部１１５を備える。また、携帯端末Ａ２は、携帯格納部１２１、携帯受信部Ａ２２、携帯送信部Ａ２３を備える。さらに、決済端末Ａ３は、決済格納部Ａ３１、第一決済取得部１３１、第二決済取得部Ａ３３、第一決済送信部Ａ３４を備える。
【００３２】
サーバ装置Ａ１を構成する認証情報格納部Ａ１１は、１以上の認証情報を格納し得る。ここでの認証情報は、決済カードを識別するカード識別子と、携帯端末Ａ２を識別する携帯識別子との組を含む。また、カード識別子とは、カード番号等、決済カードを識別できる情報であれば何でも良い。また、携帯識別子とは、電話番号、ＩＰアドレス、ＭＡＣアドレス等、携帯端末１２を識別できる情報であれば何でも良い。なお、認証情報は、通常、ユーザ登録時に、ユーザに入力してもらい、ユーザが使用する端末から受信された情報である。また、認証情報は、第一決済識別子と第二決済識別子との組である１以上の決済組情報をも有しても良い。第一決済識別子は、決済に関する情報を識別する情報であり、例えば、決済場所を識別する情報、または決済端末Ａ３を識別する情報、または決済自体を識別する情報である。第一決済識別子は、ここでは、例えば、決済端末Ａ３を識別する決済端末識別子や店舗を識別する店舗識別子である。また、第二決済識別子は、決済に関する情報を識別する情報であり、例えば、決済場所を識別する情報、または決済で使用する端末を識別する情報、または決済自体を識別する情報である。第二決済識別子は、ここでは、例えば、ＳＳＩＤまたはＭＡＣアドレス等である。なお、通常、ＳＳＩＤまたはＭＡＣアドレス等は、決済端末Ａ３の周辺の電波から取得できる情報である。
【００３３】
サーバ受信部Ａ１２は、１以上のカード関連情報と、１以上の携帯関連情報とを受信する。ここでのカード関連情報は、決済を識別する第一決済識別子とカード識別子とを有する。また、携帯関連情報は、１または２以上の第二決済識別子を有する。なお、携帯関連情報は、携帯端末Ａ２を識別する携帯識別子と、１または２以上の第二決済識別子を有しても良い。また、サーバ受信部Ａ１２は、通常、決済端末Ａ３からカード関連情報を受信し、携帯端末Ａ２から携帯関連情報を受信する。
【００３４】
サーバ判断部Ａ１４は、サーバ受信部Ａ１２が受信した１以上のカード関連情報、１以上の携帯関連情報、および認証情報格納部Ａ１１の１以上の認証情報を用いて、決済が正当であるか否かを判断する。
【００３５】
さらに具体的には、サーバ判断部Ａ１４は、サーバ受信部Ａ１２が受信したカード関連情報が有するカード識別子と対になる携帯識別子で識別される携帯端末Ａ２から受信した第二決済識別子と、サーバ受信部Ａ１２が受信したカード関連情報が有する第一決済識別子との組と一致する決済組情報が、認証情報格納部Ａ１１に格納されているか否かを判断する。一致する決済組情報が、認証情報格納部Ａ１１に格納されていれば、決済が正当であると判断する。一方、一致する決済組情報が、認証情報格納部Ａ１１に格納されていなければ、決済が不当であると判断する。
【００３６】
つまり、サーバ受信部Ａ１２は、先に受信したカード関連情報が有するカード識別子と対になる携帯識別子で識別される携帯端末Ａ２から１または２以上の第二決済識別子を受信する。ここでの第二決済識別子は、携帯端末Ａ２の周辺の電波から携帯端末Ａ２が取得したＳＳＩＤまたはＭＡＣアドレス等である。また、サーバ受信部Ａ１２は、決済端末Ａ３から第一決済識別子を有するカード関連情報を受信する。ここで第一決済識別子は、決済端末識別子である。
【００３７】
サーバ処理部１１５は、サーバ判断部Ａ１４が、決済が正当であると判断した場合のみ、認証許可に対応する処理を行う。また、サーバ判断部１１４が、決済が不当であると判断した場合は、サーバ処理部１１５またはサーバ送信部Ａ１は、通常、エラーメッセージを、携帯端末Ａ２または／および決済端末Ａ３に送信する。なお、認証許可に対応する処理とは、認証許可を示す情報を送信する処理でも良いし、決済処理等でも良い。なお、決済処理とは、決済に関する処理であれば何でも良く、公知技術であるので、詳細な説明を省略する。
【００３８】
サーバ送信部Ａ１３は、携帯端末Ａ２に携帯関連情報を送信する指示を送信しても良い。サーバ送信部Ａ１３は、通常、サーバ受信部Ａ１２が決済端末Ａ３からカード関連情報を受信したことをトリガーとして、携帯関連情報の送信指示を当該携帯端末Ａ２に送信する。つまり、サーバ受信部Ａ１２が決済端末Ａ３からカード関連情報を受信した場合、サーバ送信部Ａ１３は、カード関連情報が有するカード識別子を取得する。次に、サーバ送信部Ａ１３は、取得したカード識別子と対になる携帯識別子を、認証情報格納部Ａ１１から取得する。そして、サーバ送信部Ａ１３は、取得した携帯識別子で識別される携帯端末Ａ２に、携帯関連情報の送信指示を送信する。
【００３９】
携帯端末Ａ２を構成する携帯格納部１２１は、携帯識別子を格納し得る。
【００４０】
携帯受信部Ａ２２は、１または２以上の第二決済識別子を、近距離無線通信により受信する。ここで、携帯受信部Ａ２２は、近距離無線通信の電波から、１以上の第二決済識別子を取得する。なお、ここでの第二決済識別子は、例えば、携帯端末Ａ２と決済端末Ａ３の周辺の電波から取得され得るＳＳＩＤやＭＡＣアドレス等である。また、携帯受信部Ａ２２は、サーバ装置Ａ１から、携帯関連情報の送信指示を受信しても良い。また、ＳＳＩＤ等の第二決済識別子を生成しても良い。かかる生成は、図示しない生成手段が行っても良いし、携帯受信部Ａ２２が行うと考えても良い。また、ＳＳＩＤ等の第二決済識別子は、予め決められていても良い。その場合、ＳＳＩＤ等の第二決済識別子は、定期的に更新されることは好適である。
【００４１】
携帯送信部Ａ２３は、携帯受信部Ａ２２が受信した１以上の第二決済識別子を有する携帯関連情報をサーバ装置Ａ１に送信する。なお、携帯送信部Ａ２３は、通常、サーバ装置Ａ１からの送信指示に応じて、携帯関連情報を送信する。
【００４２】
決済端末Ａ３を構成する決済格納部Ａ３１は、第一決済識別子を格納し得る。第一決済識別子は、例えば、決済端末識別子、店舗識別子である。なお、決済端末識別子は店舗端末識別子と同意義である、とする。
【００４３】
第一決済取得部１３１は、決済カードからカード識別子を取得する。第一決済取得部１３１は、カードリーダー、受信手段等から実現され得る。ここで、カード識別子の取得とは、通常、決済カードからカード識別子を読み取ることである。
【００４４】
第二決済取得部Ａ３３は、決済格納部Ａ３１から第一決済識別子を取得する。ここで、取得とは、決済格納部Ａ３１に格納されている第一決済識別子を読み出すことである。
【００４５】
第一決済送信部Ａ３４は、第一決済取得部１３１が取得したカード識別子と、第二決済取得部Ａ３３が取得した第一決済識別子とを有するカード関連情報をサーバ装置Ａ１に送信する。
【００４６】
認証情報格納部Ａ１１、携帯格納部１２１、および決済格納部Ａ３１は、不揮発性の記録媒体が好適であるが、揮発性の記録媒体でも実現可能である。認証情報格納部Ａ１１等に認証情報等が記憶される過程は問わない。例えば、記録媒体を介して認証情報等が認証情報格納部Ａ１１等で記憶されるようになってもよく、通信回線等を介して送信された認証情報等が認証情報格納部Ａ１１等で記憶されるようになってもよく、あるいは、入力デバイスを介して入力された認証情報等が認証情報格納部Ａ１１等で記憶されるようになってもよい。
【００４７】
サーバ受信部Ａ１２は、通常、無線または有線の通信手段で実現されるが、放送を受信する手段で実現されても良い。
【００４８】
サーバ判断部Ａ１４、サーバ処理部１１５、第二決済取得部Ａ３３は、通常、ＭＰＵやメモリ等から実現され得る。サーバ判断部Ａ１４等の処理手順は、通常、ソフトウェアで実現され、当該ソフトウェアはＲＯＭ等の記録媒体に記録されている。但し、ハードウェア（専用回路）で実現しても良い。
【００４９】
サーバ送信部Ａ１３、携帯送信部Ａ２３、第一決済送信部Ａ３４は、通常、無線または有線の通信手段で実現されるが、放送手段で実現されても良い。
【００５０】
携帯受信部Ａ２２は、近距離無線通信手段により実現され得る。
【００５１】
次に、決済システムＡの動作について説明する。まず、サーバ装置Ａ１の動作について、図３のフローチャートを用いて説明する。
【００５２】
（ステップＳ３０１）サーバ受信部Ａ１２は、決済端末Ａ３からカード関連情報を受信したか否かを判断する。カード関連情報を受信すればステップＳ３０２に行き、カード関連情報を受信しなければステップＳ３０１に戻る。
【００５３】
（ステップＳ３０２）サーバ送信部Ａ１３は、ステップＳ３０１で受信したカード関連情報が有するカード識別子を取得する。
【００５４】
（ステップＳ３０３）サーバ送信部Ａ１３は、ステップＳ３０２で取得したカード識別子と対になる携帯識別子を、認証情報格納部Ａ１１に格納されている認証情報から取得する。
【００５５】
（ステップＳ３０４）サーバ送信部Ａ１３は、ステップＳ３０３で取得した携帯識別子で識別される携帯端末Ａ２に対して、携帯関連情報の送信指示を送信する。
【００５６】
（ステップＳ３０５）サーバ受信部Ａ１２は、ステップＳ３０４における送信指示の送信に対応して、携帯端末Ａ２から携帯関連情報を受信したか否かを判断する。携帯関連情報を受信すればステップＳ３０６に行き、携帯関連情報を受信しなければステップＳ３０５に戻る。
【００５７】
（ステップＳ３０６）サーバ判断部Ａ１４は、ステップＳ３０５で受信した携帯関連情報の中から、１以上の第二決済識別子を取得する。
【００５８】
（ステップＳ３０７）サーバ判断部Ａ１４は、ステップＳ３０１で受信されたカード関連情報に含まれる第一決済識別子と、ステップＳ３０６で取得した１以上の第二決済識別子とを用いて、この決済処理が正当であるか否かを判断する。正当であると判断した場合はステップＳ３０８に行き、正当でないと判断した場合はステップＳ３０９に行く。
【００５９】
なお、具体的には、例えば、サーバ判断部Ａ１４は、カード関連情報に含まれる第一決済識別子と対になる第二決済識別子を認証情報格納部Ａ１１から取得する。そして、サーバ判断部Ａ１４は、取得した第二決済識別子が、ステップＳ３０６で取得した１以上の第二決済識別子の中に含まれるか否かを判断する。取得した第二決済識別子が、ステップＳ３０６で取得した１以上の第二決済識別子の中に含まれる場合、サーバ判断部Ａ１４は、決済処理が正当である、と判断する。
【００６０】
また、具体的には、例えば、サーバ判断部Ａ１４は、カード関連情報に含まれる第一決済識別子と、ステップＳ３０６で取得した１以上の第二決済識別子の中の一の第二決済識別子との組である決済組情報が、認証情報格納部Ａ１１に格納されているか否かを判断し、格納されている場合、サーバ判断部Ａ１４は、決済処理が正当である、と判断しても良い。
【００６１】
（ステップＳ３０８）サーバ処理部１１５は、認証許可に対応する処理を行う。ステップＳ３０１に戻る。
【００６２】
（ステップＳ３０９）サーバ処理部１１５は、認証不許可に対応する処理を行う。ステップＳ３０１に戻る。
【００６３】
なお、図３のフローチャートにおいて、電源オフや処理終了の割り込みにより処理は終了する。
【００６４】
次に、携帯端末Ａ２の動作について、図４のフローチャートを用いて説明する。
【００６５】
（ステップＳ４０１）携帯受信部Ａ２２は、サーバ装置Ａ１から送信指示を受信したか否かを判断する。送信指示を受信すればステップＳ４０２に行き、送信指示を受信しなければステップＳ４０１に戻る。なお、送信指示とは、携帯関連情報の送信指示である。
【００６６】
（ステップＳ４０２）携帯受信部Ａ２２は、１以上の第二決済識別子を、近距離無線通信により取得する。
【００６７】
（ステップＳ４０３）携帯送信部Ａ２３は、携帯格納部１２１から携帯識別子を取得する。
【００６８】
（ステップＳ４０４）携帯送信部Ａ２３は、ステップＳ４０２で受信された１以上の第二決済識別子、およびステップＳ４０３で取得した携帯識別子を用いて、携帯関連情報を構成する。
【００６９】
（ステップＳ４０５）携帯送信部Ａ２３は、ステップＳ４０４で構成した携帯関連情報をサーバ装置Ａ１に送信する。
【００７０】
なお、図４のフローチャートにおいて、電源オフや処理終了の割り込みにより処理は終了する。
【００７１】
また、図４のフローチャートにおいて、携帯送信部Ａ２３は、１以上の第二決済識別子のみをサーバ装置Ａ１に送信しても良い。
【００７２】
次に、決済端末Ａ３の動作について、図５のフローチャートを用いて説明する。
【００７３】
（ステップＳ５０１）第一決済取得部１３１は、決済カードからカード識別子を取得したか否かを判断する。カード識別子を取得すればステップＳ５０２に行き、カード識別子を取得しなければステップＳ５０１に戻る。
【００７４】
（ステップＳ５０２）第二決済取得部Ａ３３は、決済格納部Ａ３１から第一決済識別子を取得する。
【００７５】
（ステップＳ５０３）第一決済送信部Ａ３４は、ステップＳ５０１で取得されたカード識別子と、ステップＳ５０２で取得された第一決済識別子とを有するカード関連情報を構成する。
【００７６】
（ステップＳ５０４）第一決済送信部Ａ３４は、ステップＳ５０３で構成したカード関連情報を、サーバ装置Ａ１に送信する。
【００７７】
なお、図５のフローチャートにおいて、電源オフや処理終了の割り込みにより処理は終了する。
【００７８】
以下、本実施の形態における決済システムＡの具体的な動作について説明する。決済システムＡの概念図は図１である。
【００７９】
今、サーバ装置１１の認証情報格納部Ａ１１は、図６に示す認証情報管理表を保持している。認証情報管理表は、認証情報を含む１以上のユーザ情報を管理している。ユーザ情報は、「会員番号」「認証情報」「氏名」等を有する。「認証情報」は、「クレジットカード番号」「携帯番号」を有する。なお、ここで、「クレジットカード番号」はカード識別子の例である。また、「携帯番号」は携帯識別子の例である。なお、認証情報管理表の「ＩＤ」はレコードを識別する情報である。
【００８０】
また、認証情報格納部Ａ１１に、図７に示す店舗端末電波情報管理表を保持している。店舗端末電波情報管理表は「ＩＤ」「店舗端末ＩＤ」「ＳＳＩＤ」を有する。「ＩＤ」はレコードを識別する情報である。また、「店舗端末ＩＤ」は店舗を識別する情報である。なお、「店舗端末ＩＤ」は決済端末識別子の例であり、第一決済識別子の例である。さらに、「ＳＳＩＤ」は、ここでは第二決済識別子である。なお、「ＳＳＩＤ」は、無線ＬＡＮにおけるアクセスポイントの識別子でもある。また、「店舗端末ＩＤ」「ＳＳＩＤ」の組は決済組情報である。
【００８１】
また、決済端末Ａ３の決済格納部Ａ３１には、第一決済識別子「８８８８」が格納されている、とする。
【００８２】
かかる状況において、ユーザ「田中一郎」は、第一決済識別子「８８８８」で識別される店舗端末が設置されている店舗において、商品を購入し、自分のクレジットカードで決済を行うために、販売員に自分のクレジットカードを渡した。また、田中一郎は、保持している自分の携帯端末１２の決済用アプリを起動させた、とする。
【００８３】
次に、販売員は、クレジットカードを受け取り、決済端末１３にクレジットカードを読ませた。また、販売員は、販売した商品ＩＤ「００１」および金額「２５００円」を、決済端末１３に入力する。そして、決済端末１３の第一決済取得部１３１は、クレジットカード番号「１２３４５６７８」を取得する。また、第二決済取得部Ａ３３は、決済格納部Ａ３１から第一決済識別子「８８８８」を取得する。
【００８４】
次に、第一決済送信部Ａ３４は、取得されたカード識別子「１２３４５６７８」と取得された第一決済識別子「８８８８」と、受け付けられた商品ＩＤ「００１」および金額「２５００円」とから、カード関連情報「８８８８，１２３４５６７８，００１，２５００円」を構成する。そして、第一決済送信部Ａ３４は、構成したカード関連情報「８８８８，１２３４５６７８，００１，２５００円」を、サーバ装置Ａ１に送信する。
【００８５】
次に、サーバ装置Ａのサーバ受信部Ａ１２は、決済端末Ａ３からカード関連情報「８８８８，１２３４５６７８，００１，２５００円」を受信する。そして、サーバ送信部Ａ１３は、受信したカード関連情報が有するカード識別子「１２３４５６７８」を取得する。次に、サーバ送信部Ａ１３は、取得したカード識別子「１２３４５６７８」と対になる携帯識別子「０９０−１２３４−１１２２」を、図６の認証情報管理表から取得する。そして、サーバ送信部Ａ１３は、取得した携帯識別子「０９０−１２３４−１１２２」で識別される携帯端末Ａ２に対して、携帯関連情報の送信指示を送信する。
【００８６】
次に、携帯端末Ａ２の携帯受信部Ａ２２は、サーバ装置Ａ１から携帯関連情報の送信指示を受信する。次に、携帯受信部Ａ２２は、１以上の第二決済識別子を、近距離無線通信により取得する。ここで、携帯受信部Ａ２２は、３つの第二決済識別子「ＳＳＩＤ１，ＳＳＩＤ７，ＳＳＩＤ９」を受信した、とする。次に、携帯送信部Ａ２３は、携帯格納部１２１から携帯識別子「０９０−１２３４−１１２２」を取得する。次に、携帯送信部Ａ２３は、３つの第二決済識別子、および携帯識別子を用いて、携帯関連情報「ＳＳＩＤ１，ＳＳＩＤ７，ＳＳＩＤ９；０９０−１２３４−１１２２」を構成する。次に、携帯送信部Ａ２３は、構成した携帯関連情報「ＳＳＩＤ１，ＳＳＩＤ７，ＳＳＩＤ９；０９０−１２３４−１１２２」を、サーバ装置Ａ１送信する。なお、携帯端末Ａ２の周辺に近距離無線通信の電波が出されており、携帯端末Ａ２の携帯受信部Ａ２２は、当該電波からＳＳＩＤを取得できる。
【００８７】
次に、サーバ装置Ａ１のサーバ受信部Ａ１２は、携帯端末Ａ２から携帯関連情報「ＳＳＩＤ１，ＳＳＩＤ７，ＳＳＩＤ９；０９０−１２３４−１１２２」を受信する。そして、サーバ判断部Ａ１４は、受信した携帯関連情報の中から、３つの第二決済識別子「ＳＳＩＤ１，ＳＳＩＤ７，ＳＳＩＤ９」を取得する。次に、サーバ判断部Ａ１４は、第一決済識別子「８８８８」と対になる第二決済識別子「ＳＳＩＤ１」を店舗端末電波情報管理表から取得する。そして、サーバ判断部Ａ１４は、取得した第二決済識別子「ＳＳＩＤ１」が、取得した３つの第二決済識別子「ＳＳＩＤ１，ＳＳＩＤ７，ＳＳＩＤ９」の中に含まれる、と判断する。つまり、サーバ判断部Ａ１４は、本決済は正当である、と判断する。
【００８８】
次に、サーバ処理部１１５は、認証許可に対応する処理を行う。この処理は、例えば、クレジットカード番号「１２３４５６７８」に対して、「２５００円」の決済を行う処理である。また、認証処理は、例えば、携帯端末１２または／および決済端末１３に、認証許可または決済完了を示す情報を送信することでも良い。
【００８９】
以上、本実施の形態によれば、高速の移動体の中や地下等のあらゆる環境においても、決済端末と一定以内の相対距離の中に、ユーザが保持している携帯端末が存在することが保証できる結果、決済端末や携帯端末の絶対位置が定まりにくい環境においても、決済ための認証処理が正しく行える。その結果、例えば、電車や飛行機等の移動体の内部、地下等で行う決済処理においても利用できる。
【００９０】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるサーバ装置を実現するソフトウェアは、以下のようなプログラムである。つまり、このプログラムは、記録媒体に、決済カードを識別するカード識別子と、携帯端末を識別する携帯識別子との組である１以上の認証情報を格納しており、コンピュータを、決済を識別する第一決済識別子とカード識別子とを有する１以上のカード関連情報と、決済を識別する１以上の第二決済識別子を有する１以上の携帯関連情報とを受信するサーバ受信部と、前記サーバ受信部が受信した１以上のカード関連情報、１以上の携帯関連情報、および前記記録媒体の１以上の認証情報を用いて、決済が正当であるか否かを判断するサーバ判断部と、前記サーバ判断部が決済が正当であると判断した場合のみ、認証許可に対応する処理を行うサーバ処理部として機能させるためのプログラムであって、前記サーバ受信部が受信した携帯関連情報は第二決済識別子を近距離無線通信により受信した前記携帯端末が送信した情報、または前記サーバ受信部が受信した携帯識別子は前記携帯端末から近距離無線通信により受信した前記決済端末が送信した情報である、プログラムである。
【００９１】
（実施の形態２）
本実施の形態において、携帯端末と決済端末とを用いて、決済を行う決済システムであり、不正防止を確実に行う決済システムについて説明する。
【００９２】
また、本実施の形態における決済システムを構成するサーバ装置は、決済カードのカード識別子と携帯識別子とを対応付けて管理しており、カード識別子と決済識別子とを受信し、かつ、携帯識別子と決済識別子とを受信し、同一の決済識別子を有するカード識別子と携帯識別子が管理されている情報であれば、認証許可し、認証結果を出力する。
【００９３】
本実施の形態における決済システム１の概念図は図１と同様である。決済システム１は、サーバ装置１１、１以上の携帯端末１２、および１以上の決済端末１３を備える。携帯端末１２は、商品を購入するユーザが保持している端末であり、携帯電話、いわゆるスマートフォン、携帯のタブレット端末等である。ここで、商品とは、サービスを含む、と考えても良い。決済端末１３は、商品購入の決済を行う端末であり、例えば、決済カードのカードリーダー、決済カード（例えば、ＩＣカード）の読み取り機等である。なお、決済カードとは、決済に利用するカードであり、クレジットカード、電子マネーのカード等を含み、広く解する。また、決済カードは、ポストペイのカードでも、プリペイドカードでも良い。
【００９４】
図８は、本実施の形態における決済システム１のブロック図である。サーバ装置１１は、認証情報格納部１１１、サーバ受信部１１２、サーバ取得部１１３、サーバ判断部１１４、サーバ処理部１１５を備える。
【００９５】
携帯端末１２は、携帯格納部１２１、携帯受信部１２２、携帯送信部１２３を備える。
【００９６】
決済端末１３は、第一決済取得部１３１、決済識別子生成部１３２、第二決済取得部１３３、第一決済送信部１３４、第二決済送信部１３５を備える。
【００９７】
サーバ装置１１を構成する認証情報格納部１１１は、１以上の認証情報を格納し得る。認証情報は、決済カードを識別するカード識別子と、携帯端末１２を識別する携帯識別子との組である。
【００９８】
サーバ受信部１１２は、１以上のカード関連情報と、１以上の携帯関連情報とを受信する。カード関連情報は、決済識別子とカード識別子とを有する情報である。また、携帯関連情報とは、決済識別子と携帯識別子とを有する情報である。また、カード関連情報と携帯関連情報とは、決済識別子を共用していても良い。つまり、サーバ受信部１１２は、決済識別子とカード識別子と携帯識別子とを受信しても良い。なお、ここでは、サーバ受信部１１２は、カード関連情報を決済端末１３から受信し、携帯関連情報を携帯端末１２から受信する。また、カード関連情報が有する決済識別子は、第一決済識別子と言っても良い。さらに、携帯関連情報が有する決済識別子は、第二決済識別子と言っても良い。
【００９９】
また、サーバ受信部１１２が受信する携帯関連情報は、２以上の決済識別子と携帯識別子とを有する情報でも良い。また、サーバ受信部１１２が受信するカード関連情報は、２以上の決済識別子とカード識別子とを有する情報でも良い。
【０１００】
サーバ取得部１１３は、サーバ受信部１１２が受信した１以上のカード関連情報、および１以上の携帯関連情報のうちで、同一の決済識別子と対になるカード識別子と携帯識別子の組を取得する。
【０１０１】
また、サーバ受信部１１２が２以上の決済識別子を有する携帯関連情報を受信した場合、サーバ取得部１１３は、サーバ受信部１１２が受信した１以上のカード関連情報および１以上の携帯関連情報のうちで、カード関連情報に含まれる決済識別子と同一の決済識別子を一部に含む携帯関連情報が有する携帯識別子と、対応するカード関連情報が有するカード識別子とを取得する。
【０１０２】
サーバ判断部１１４は、サーバ処理部１１５が取得したカード識別子と携帯識別子の組と一致する認証情報が、認証情報格納部１１１に存在するか否かを判断する。
【０１０３】
サーバ処理部１１５は、サーバ判断部１１４が一致する認証情報が存在すると判断した場合のみ、認証許可に対応する処理を行う。また、サーバ処理部１１５は、サーバ判断部１１４が一致する認証情報が存在しないと判断した場合は、通常、認証不許可に対応する処理を行う。なお、認証許可に対応する処理とは、認証許可を示す情報を送信する処理でも良いし、決済処理等でも良い。なお、決済処理とは、決済に関する処理であれば何でも良く、公知技術であるので、詳細な説明を省略する。また、認証不許可に対応する処理とは、例えば、エラーメッセージを、携帯端末１２または／および決済端末１３に送信する処理である。
【０１０４】
携帯端末１２を構成する携帯受信部１２２は、決済識別子を近距離無線通信により受信する。携帯受信部１２２は、決済端末１３から決済識別子を近距離無線通信により受信しても良いし、決済が行われる場所の周辺の電波を拾って、周辺の決済識別子（例えば、ＳＳＩＤやＭＡＣアドレス等）を受信しても良い。
【０１０５】
また、携帯受信部１２２は、２以上の決済識別子を、近距離無線通信により受信しても良い。つまり、例えば、携帯受信部１２２は、決済が行われる場所の周辺の電波を拾って、周辺の２以上の決済識別子（例えば、ＳＳＩＤやＭＡＣアドレス等）を受信しても良い。
【０１０６】
携帯送信部１２３は、携帯格納部１２１に格納されている携帯識別子と、携帯受信部１２２が受信した決済識別子とを有する携帯関連情報をサーバ装置１１に送信する。
【０１０７】
また、携帯送信部１２３は、携帯格納部１２１に格納されている携帯識別子と、携帯受信部１２２が受信した２以上の決済識別子とを有する携帯関連情報をサーバ装置１１に送信しても良い。
【０１０８】
決済端末１３を構成する決済識別子生成部１３２は、第一決済取得部１３１がカード識別子を取得したことに対応して、決済識別子を生成する。決済識別子生成部１３２は、通常、ユニークな決済識別子を生成する。
【０１０９】
第二決済取得部１３３は、決済識別子を取得する。ここで、取得とは、図示しない記録媒体に格納されている決済識別子を読み出すことでも良いし、決済識別子生成部１３２が生成した決済識別子を取得することでも良い。
【０１１０】
第一決済送信部１３４は、第一決済取得部１３１が取得したカード識別子と、第二決済取得部１３３が取得した決済識別子とを有するカード関連情報をサーバ装置１１に送信する。
【０１１１】
第二決済送信部１３５は、第二決済取得部が取得した決済識別子を、近距離無線通信により携帯端末１２に送信する。なお、すべての実施の形態における近距離無線通信は、通常、相手を特定しない無線通信であるが、相手を特定する無線通信でも良い。
【０１１２】
認証情報格納部１１１、携帯格納部１２１は、不揮発性の記録媒体が好適であるが、揮発性の記録媒体でも実現可能である。認証情報格納部１１１等に認証情報等が記憶される過程は問わない。例えば、記録媒体を介して認証情報等が認証情報格納部１１１等で記憶されるようになってもよく、通信回線等を介して送信された認証情報等が認証情報格納部１１１等で記憶されるようになってもよく、あるいは、入力デバイスを介して入力された認証情報等が認証情報格納部１１１等で記憶されるようになってもよい。
【０１１３】
サーバ受信部１１２、は、通常、無線または有線の通信手段で実現されるが、放送を受信する手段で実現されても良い。
【０１１４】
サーバ取得部１１３、サーバ判断部１１４、サーバ処理部１１５、決済識別子生成部１３２、第二決済取得部１３３は、通常、ＭＰＵやメモリ等から実現され得る。サーバ取得部１１３等の処理手順は、通常、ソフトウェアで実現され、当該ソフトウェアはＲＯＭ等の記録媒体に記録されている。但し、ハードウェア（専用回路）で実現しても良い。
【０１１５】
携帯送信部１２３、第一決済送信部１３４は、通常、無線または有線の通信手段で実現されるが、放送手段で実現されても良い。
【０１１６】
携帯受信部１２２、第二決済送信部１３５は、近距離無線通信手段で実現され得る。近距離無線通信手段とは、近距離のみしか通信できない無線の通信手段であり、例えば、Ｂｕｌｅｔｏｏｔｈ（登録商標）、無線ＬＡＮ、ＺｉｇＢｅｅ、ＲＦ−ＩＤ等、広く解する。
【０１１７】
次に、決済システム１の動作について説明する。まず、サーバ装置１１の動作について、図９のフローチャートを用いて説明する。
【０１１８】
（ステップＳ９０１）サーバ受信部１１２は、１以上のカード関連情報、および１以上の携帯関連情報を受信したか否かを判断する。１以上のカード関連情報等を受信すればステップＳ９０２に行き、受信しなければステップＳ９０１に戻る。なお、ここで、サーバ受信部１１２は、１以上のカード関連情報、および１以上の携帯関連情報を受信しても良い。なお、１以上のカード関連情報と１以上の携帯関連情報とを受信するタイミングは同時でも良いし、異なっていても良い。つまり、１以上のカード関連情報と１以上の携帯関連情報とを受信するタイミングは問わない。
【０１１９】
（ステップＳ９０２）サーバ受信部１１２は、ステップＳ９０１で受信した１以上のカード関連情報、および１以上の携帯関連情報を、図示しないバッファに一時蓄積する。
【０１２０】
（ステップＳ９０３）サーバ取得部１１３は、バッファに存在する１以上のカード関連情報、および１以上の携帯関連情報のうちで、同一の決済識別子と対になるカード識別子と携帯識別子の組を、１組以上取得する。かかる処理を組情報取得処理という。また、カード識別子と携帯識別子の組を、適宜、組情報という。組情報取得処理について、図１０のフローチャートを用いて説明する。
【０１２１】
（ステップＳ９０４）サーバ判断部１１４は、カウンタｉに１を代入する。
【０１２２】
（ステップＳ９０５）サーバ判断部１１４は、ステップＳ９０３で取得されたｉ番目の組情報が存在するか否かを判断する。ｉ番目の組情報が存在すればステップＳ９０６に行き、存在しなければステップＳ９０１に戻る。
【０１２３】
（ステップＳ９０６）サーバ判断部１１４は、ｉ番目の組情報をキーとして、認証情報格納部１１１を検索する。
【０１２４】
（ステップＳ９０７）サーバ判断部１１４は、ステップＳ９０６における検索結果から、ｉ番目の組情報と一致する認証情報が、認証情報格納部１１１に存在するか否か判断する。認証情報格納部１１１に存在すればステップＳ９０８に行き、存在しなければステップＳ９０９に行く。
【０１２５】
（ステップＳ９０８）サーバ処理部１１５は、認証許可に対応する処理を行う。ステップＳ９１０に行く。
【０１２６】
（ステップＳ９０９）サーバ処理部１１５は、認証不許可に対応する処理を行う。
【０１２７】
（ステップＳ９１０）サーバ判断部１１４は、カウンタｉを１、インクリメントする。ステップＳ９０５に戻る。
【０１２８】
なお、図９のフローチャートにおいて、電源オフや処理終了の割り込みにより処理は終了する。
【０１２９】
次に、ステップＳ９０３の組情報取得処理について、図１０のフローチャートを用いて説明する。
【０１３０】
（ステップＳ１００１）サーバ取得部１１３は、カウンタｉに１を代入する。
【０１３１】
（ステップＳ１００２）サーバ取得部１１３は、ｉ番目のカード関連情報が、図示しないバッファに存在するか否かを判断する。バッファに存在すればステップＳ１００３に行き、バッファに存在しなければ上位処理にリターンする。
【０１３２】
（ステップＳ１００３）サーバ取得部１１３は、ｉ番目のカード関連情報が有する決済識別子を取得する。
【０１３３】
（ステップＳ１００４）サーバ取得部１１３は、ステップＳ１００３で取得した決済識別子をキーとして、１以上の携帯関連情報を検索する。なお、１以上の携帯関連情報は、図示しないバッファ内の携帯関連情報である。
【０１３４】
（ステップＳ１００５）サーバ取得部１１３は、ステップＳ１００４における検索の結果、ステップＳ１００３で取得した決済識別子が、１以上の携帯関連情報の中に存在したか否かを判断する。決済識別子が存在すればステップＳ１００６に行き、決済識別子が存在しなければステップＳ１００８に行く。
【０１３５】
（ステップＳ１００６）サーバ取得部１１３は、決済識別子が共通するカード識別子と携帯識別子とを取得する。
【０１３６】
（ステップＳ１００７）サーバ取得部１１３は、共通する決済識別子を含む携帯関連情報を、バッファから削除する。
【０１３７】
（ステップＳ１００８）サーバ取得部１１３は、共通する決済識別子を含むカード関連情報を、バッファから削除する。
【０１３８】
（ステップＳ１００９）サーバ取得部１１３は、カウンタｉを１、インクリメントする。ステップＳ１００２に戻る。
【０１３９】
次に、携帯端末１２の動作について、図１１のフローチャートを用いて説明する。
【０１４０】
（ステップＳ１１０１）携帯受信部１２２は、決済端末１３から決済識別子を、近距離無線通信により受信したか否かを判断する。決済識別子を受信すればステップＳ１１０２に行き、受信しなければステップＳ１１０１に戻る。
【０１４１】
（ステップＳ１１０２）携帯送信部１２３は、携帯格納部１２１から、携帯識別子を読み出す。
【０１４２】
（ステップＳ１１０３）携帯送信部１２３は、ステップＳ１１０１で受信された決済識別子と、ステップＳ１１０２で読み出した携帯識別子とを用いて、携帯関連情報を構成する。
【０１４３】
（ステップＳ１１０４）携帯送信部１２３は、ステップＳ１１０３で構成した携帯関連情報をサーバ装置１１に送信する。なお、携帯送信部１２３は、送信先であるサーバ装置１１を識別する情報（例えば、ＩＰアドレス、ＭＡＣアドレス等）を保持している、とする。ステップＳ１１０１に戻る。
【０１４４】
なお、図１１のフローチャートにおいて、電源オフや処理終了の割り込みにより処理は終了する。
【０１４５】
次に、決済端末１３の動作について、図１２のフローチャートを用いて説明する。
【０１４６】
（ステップＳ１２０１）第一決済取得部１３１は、決済カードからカード識別子を取得したか否かを判断する。カード識別子を取得した場合はステップＳ１２０２に行き、カード識別子を取得しない場合はステップＳ１２０１に戻る。
【０１４７】
（ステップＳ１２０２）決済識別子生成部１３２は、第一決済取得部１３１がカード識別子を取得したことに対応して、決済識別子を生成する。そして、第二決済取得部１３３は、決済識別子生成部１３２が生成した決済識別子を取得する。なお、本ステップにおいて、第二決済取得部１３３は、記録媒体に格納されている決済識別子を読み出しても良い。
【０１４８】
（ステップＳ１２０３）第二決済送信部１３５は、ステップＳ１２０２で取得された決済識別子を、近距離無線通信により携帯端末１２に送信する。
【０１４９】
（ステップＳ１２０４）第一決済送信部１３４は、ステップＳ１２０１で取得されたカード識別子と、ステップＳ１２０２で取得された決済識別子とを用いて、カード関連情報を構成する。
【０１５０】
（ステップＳ１２０５）第一決済送信部１３４は、ステップＳ１２０４で構成されたカード関連情報をサーバ装置１１に送信する。なお、第一決済送信部１３４は、送信先であるサーバ装置１１を識別する情報（例えば、ＩＰアドレス、ＭＡＣアドレス等）を保持している、とする。ステップＳ１２０１に戻る。
【０１５１】
なお、図１２のフローチャートにおいて、電源オフや処理終了の割り込みにより処理は終了する。
【０１５２】
以下、本実施の形態における決済システム１の具体的な動作について説明する。決済システム１の概念図は図１である。
【０１５３】
今、サーバ装置１１の認証情報格納部１１１は、図６に示す認証情報管理表を保持している。また、認証情報格納部１１１は、図７に示す店舗端末電波情報管理表を保持している。かかる状況において、以下の２つの具体例について説明する。
【０１５４】
（具体例１）
具体例１は、認証が許可され、決済が行われる場合である。
【０１５５】
ユーザ「田中一郎」は、新幹線に乗車中に、車内で移動する店舗「８８８８」において、商品を購入し、自分のクレジットカードで決済を行うために、販売員に自分のクレジットカードを渡した。また、田中一郎は、保持している自分の携帯端末１２の決済用アプリを起動させた、とする。
【０１５６】
次に、販売員は、クレジットカードを受け取り、決済端末１３にクレジットカードを読ませた。また、販売員は、販売した商品ＩＤ「００１」および金額「２５００円」を、決済端末１３に入力する。そして、決済端末１３の第一決済取得部１３１は、クレジットカード番号「１２３４５６７８」を取得する。次に、第二決済取得部１３３は、決済識別子であるＳＳＩＤ「ＳＳＩＤ１」を取得する。次に、第二決済送信部１３５は、決済識別子「ＳＳＩＤ１」を、近距離無線通信により田中一郎の携帯端末１２に送信する。次に、図示しない決済受付部は、販売員が入力した商品ＩＤ「００１」および金額「２５００円」を受け付ける。次に、第一決済送信部１３４は、クレジットカード番号「１２３４５６７８」と決済識別子「ＳＳＩＤ１」とを用いてカード関連情報「ＳＳＩＤ１，１２３４５６７８，００１，２５００円」を構成する。なお、ここで、カード関連情報は、商品ＩＤと金額も含まれる。次に、第一決済送信部１３４は、カード関連情報「ＳＳＩＤ１，１２３４５６７８，００１，２５００円」をサーバ装置１に送信する。
【０１５７】
また、携帯端末１２の携帯受信部１２２は、決済端末１３から決済識別子「ＳＳＩＤ１」を、近距離無線通信により受信する。そして、携帯送信部１２３は、携帯格納部１２１から携帯番号「０９０−１２３４−１１２２」を読み出す。なお、携帯端末１２の携帯格納部１２１には、予め携帯番号「０９０−１２３４−１１２２」が格納されている、とする。次に、携帯送信部１２３は、受信された決済識別子「ＳＳＩＤ１」と読み出した携帯識別子「０９０−１２３４−１１２２」とを用いて携帯関連情報「ＳＳＩＤ１，０９０−１２３４−１１２２」を構成する。次に、携帯送信部１２３は、構成した携帯関連情報「ＳＳＩＤ１，０９０−１２３４−１１２２」をサーバ装置１１に送信する。
【０１５８】
次に、サーバ装置１１のサーバ受信部１１２は、決済端末１３からカード関連情報「ＳＳＩＤ１，１２３４５６７８，００１，２５００円」を受信し、バッファに蓄積する。また、サーバ受信部１１２は、携帯端末１２から携帯関連情報「ＳＳＩＤ１，０９０−１２３４−１１２２」を受信し、バッファに蓄積する。次に、サーバ取得部１１３は、バッファに存在する１以上のカード関連情報および１以上の携帯関連情報のうちで、同一の決済識別子「ＳＳＩＤ１」を有するカード識別子と携帯識別子の組「１２３４５６７８，０９０−１２３４−１１２２」を取得する。次に、サーバ判断部１１４は、組情報「１２３４５６７８，０９０−１２３４−１１２２」をキーとして、図６の認証情報管理表を検索する。そして、サーバ判断部１１４は、組情報「１２３４５６７８，０９０−１２３４−１１２２」と一致する認証情報が、図６の「ＩＤ＝１」のレコードに存在すると判断する。そして、サーバ処理部１１５は、認証許可に対応する認証処理を行う。認証処理は、例えば、クレジットカード番号「１２３４５６７８」に対して、「２５００円」の決済を行う処理である。また、認証処理は、例えば、携帯端末１２または/および決済端末１３に、認証許可または決済完了を示す情報を送信することでも良い。
【０１５９】
なお、具体例１において、決済識別子生成部１３２が決済識別子を生成しても良いことは言うまでもない。
【０１６０】
（具体例２）
具体例２は、認証が許可されない場合も含む場合である。
【０１６１】
ユーザ「山田太郎」はクレジットカードを紛失してしまい、悪意のある他人Ａが山田太郎のクレジットカードを拾ったとする。そして、他人Ａは、店舗「９９９９」において、商品を購入し、山田太郎のクレジットカードで決済を行うために、販売員に山田太郎のクレジットカードを渡した。また、他人Ａは、本願の決済の仕組みを知っており、保持している自分の携帯端末１２の決済用アプリを起動させた、とする。
【０１６２】
次に、販売員は、クレジットカードを受け取り、決済端末１３にクレジットカードを読ませた。また、販売員は、販売した商品ＩＤ「１０７」および金額「３８５０００円」を、決済端末１３に入力する。そして、決済端末１３の第一決済取得部１３１は、クレジットカード番号「２２３３４５６７」を取得する。次に、第二決済取得部１３３は、決済識別子であるＳＳＩＤ「ＳＳＩＤ２」を取得する。次に、第二決済送信部１３５は、決済識別子「ＳＳＩＤ２」を、近距離無線通信により他人Ａの携帯端末１２に送信する。次に、図示しない決済受付部は、販売員が入力した商品ＩＤ「１０７」および金額「３８５０００円」を受け付ける。次に、第一決済送信部１３４は、クレジットカード番号「２２３３４５６７」と決済識別子「ＳＳＩＤ２」とを用いてカード関連情報「ＳＳＩＤ２，２２３３４５６７，１０７，３８５０００円」を構成する。なお、ここで、カード関連情報は、商品ＩＤと金額も含まれる。次に、第一決済送信部１３４は、カード関連情報「ＳＳＩＤ２，２２３３４５６７，１０７，３８５０００円」をサーバ装置１に送信する。
【０１６３】
また、他人Ａの携帯端末１２の携帯受信部１２２は、決済端末１３から決済識別子「ＳＳＩＤ２」を、近距離無線通信により受信する。そして、携帯送信部１２３は、携帯格納部１２１から携帯番号「０９０−７７７７−４４４４」を読み出す。なお、他人Ａの携帯端末１２の携帯格納部１２１には、予め携帯番号「０９０−７７７７−４４４４」が格納されている、とする。次に、携帯送信部１２３は、受信された決済識別子「ＳＳＩＤ２」と読み出した携帯識別子「０９０−７７７７−４４４４」とを用いて携帯関連情報「ＳＳＩＤ２，０９０−７７７７−４４４４」を構成する。次に、携帯送信部１２３は、構成した携帯関連情報「ＳＳＩＤ２，０９０−７７７７−４４４４」をサーバ装置１１に送信する。
【０１６４】
さらに、同時刻ぐらいに、ユーザ「田中一郎」は、店舗「９９９９」において、商品を購入し、自分のクレジットカードで決済を行うために、販売員に自分のクレジットカードを渡した。また、田中一郎は、保持している自分の携帯端末１２の決済用アプリを起動させた、とする。
【０１６５】
次に、販売員は、クレジットカードを受け取り、決済端末１３にクレジットカードを読ませた。また、販売員は、販売した商品ＩＤ「１０６」および金額「２８５００円」を、決済端末１３に入力する。そして、決済端末１３の第一決済取得部１３１は、クレジットカード番号「１２３４５６７８」を取得する。次に、第二決済取得部１３３は、決済識別子であるＳＳＩＤ「ＳＳＩＤ２」を取得する。次に、第二決済送信部１３５は、決済識別子「ＳＳＩＤ２」を、近距離無線通信により田中一郎の携帯端末１２に送信する。次に、図示しない決済受付部は、販売員が入力した商品ＩＤ「１０６」および金額「２８５００円」を受け付ける。次に、第一決済送信部１３４は、クレジットカード番号「１２３４５６７８」と決済識別子「ＳＳＩＤ２」とを用いてカード関連情報「ＳＳＩＤ２，１２３４５６７８，１０６，２８５００円」を構成する。なお、ここで、カード関連情報は、商品ＩＤと金額も含まれる。次に、第一決済送信部１３４は、カード関連情報「ＳＳＩＤ２，１２３４５６７８，１０６，２８５００円」をサーバ装置１に送信する。
【０１６６】
また、携帯端末１２の携帯受信部１２２は、決済端末１３から決済識別子「ＳＳＩＤ２」を、近距離無線通信により受信する。そして、携帯送信部１２３は、携帯格納部１２１から携帯番号「０９０−１２３４−１１２２」を読み出す。なお、携帯端末１２の携帯格納部１２１には、予め携帯番号「０９０−１２３４−１１２２」が格納されている、とする。次に、携帯送信部１２３は、受信された決済識別子「ＳＳＩＤ２」と読み出した携帯識別子「０９０−１２３４−１１２２」とを用いて携帯関連情報「ＳＳＩＤ２，０９０−１２３４−１１２２」を構成する。次に、携帯送信部１２３は、構成した携帯関連情報「ＳＳＩＤ２，０９０−１２３４−１１２２」をサーバ装置１１に送信する。
【０１６７】
次に、サーバ装置１１のサーバ受信部１１２は、決済端末１３からカード関連情報「ＳＳＩＤ２，２２３３４５６７，１０７，３８５０００円」を受信し、バッファに蓄積する。また、サーバ受信部１１２は、他人Ａの携帯端末１２から携帯関連情報「ＳＳＩＤ２，０９０−７７７７−４４４４」を受信し、バッファに蓄積する。
【０１６８】
また、サーバ装置１１のサーバ受信部１１２は、決済端末１３からカード関連情報「ＳＳＩＤ２，１２３４５６７８，１０６，２８５００円」を受信し、バッファに蓄積する。また、サーバ受信部１１２は、他人Ａの携帯端末１２から携帯関連情報「ＳＳＩＤ２，０９０−１２３４−１１２２」を受信し、バッファに蓄積する。
【０１６９】
次に、サーバ取得部１１３は、バッファに存在する１以上のカード関連情報および１以上の携帯関連情報のうちで、同一の決済識別子「ＳＳＩＤ２」を有するカード識別子と携帯識別子の組「２２３３４５６７，０９０−７７７７−４４４４」「２２３３４５６７，０９０−１２３４−１１２２」「１２３４５６７８，０９０−７７７７−４４４４」「１２３４５６７８，０９０−１２３４−１１２２」を取得する。
【０１７０】
次に、サーバ判断部１１４は、４つの組情報のうちの各組情報」をキーとして、図６の認証情報管理表を検索する。そして、サーバ判断部１１４は、組情報「１２３４５６７８，０９０−１２３４−１１２２」のみ、その組情報と一致する認証情報が、図６に存在する（「ＩＤ＝１」のレコードである）と判断する。そして、サーバ処理部１１５は、組情報「１２３４５６７８，０９０−１２３４−１１２２」で特定される決済について、認証許可に対応する認証処理を行う。認証処理は、例えば、クレジットカード番号「１２３４５６７８」に対して、「２８５００円」の決済を行う処理である。
【０１７１】
一方、サーバ判断部１１４は、一致する認証情報が存在しなかった携帯端末１２または／および決済端末１３に対して、認証不許可処理を行う。認証不許可処理は、例えば、エラーメッセージの送信である。
【０１７２】
そして、他人Ａの携帯端末１２または／および決済端末１３は、エラーメッセージを受信し、出力する。
【０１７３】
かかる処理により、正当に認証された場合のみ、決済処理が行われる。
【０１７４】
以上、本実施の形態によれば、高速の移動体の中や地下等のあらゆる環境においても、決済端末と一定以内の相対距離の中に、ユーザが保持している携帯端末が存在することが保証できる結果、決済端末や携帯端末の絶対位置が定まりにくい環境においても、決済ための認証処理が正しく行える。その結果、例えば、電車や飛行機等の移動体の内部、地下等で行う決済処理においても利用できる。
【０１７５】
なお、本実施の形態におけるサーバ装置を実現するソフトウェアは、以下のようなプログラムである。つまり、このプログラムは、記録媒体に、決済カードを識別するカード識別子と、携帯端末を識別する携帯識別子との組である１以上の認証情報を格納しており、コンピュータを、決済を識別する第一決済識別子とカード識別子とを有する１以上のカード関連情報と、決済を識別する１以上の第二決済識別子を有する１以上の携帯関連情報とを受信するサーバ受信部と、前記サーバ受信部が受信した１以上のカード関連情報、１以上の携帯関連情報、および前記記録媒体の１以上の認証情報を用いて、決済が正当であるか否かを判断するサーバ判断部と、前記サーバ判断部が決済が正当であると判断した場合のみ、認証許可に対応する処理を行うサーバ処理部として機能させるためのプログラムであって、前記サーバ受信部が受信した携帯関連情報は第二決済識別子を近距離無線通信により受信した前記携帯端末が送信した情報、または前記サーバ受信部が受信した携帯識別子は前記携帯端末から近距離無線通信により受信した前記決済端末が送信した情報である、プログラムである。
【０１７６】
また、上記プログラムにおいて、前記携帯関連情報は、第二決済識別子と携帯識別子とを有し、前記カード関連情報が有する第一決済識別子と前記携帯関連情報が有する第二決済識別子とは、決済を識別する同じ種類の情報である決済識別子であり、前記サーバ受信部が受信した１以上のカード関連情報、および１以上の携帯関連情報のうちで、同一の決済識別子と対になるカード識別子と携帯識別子の組を取得するサーバ取得部として、さらにコンピュータを機能させ、前記サーバ判断部は、前記サーバ取得部が取得したカード識別子と携帯識別子の組と一致する認証情報が、前記認証情報格納部に存在するか否かを判断するものとして、コンピュータを機能させるプログラムであることは好適である。
【０１７７】
（実施の形態３）
本実施の形態において、実施の形態２と比較して、カード関連情報と携帯関連情報とをサーバ装置に送信するのは、決済端末である点が異なる。なお、実施の形態２において、決済端末がカード関連情報を送信し、携帯端末が携帯関連情報を送信した。
【０１７８】
本実施の形態における決済システム２の概念図は、図１と同様である。なお、図１における符号は、決済システム２の符号とは異なる。
【０１７９】
図１３は、本実施の形態における決済システム２のブロック図である。決済システム２は、サーバ装置２１、携帯端末２２、決済端末２３を備える。携帯端末２２は、商品を購入するユーザが保持している端末であり、携帯電話、いわゆるスマートフォン、携帯のタブレット端末等である。また、決済端末２３は、商品購入の決済を行う端末であり、例えば、決済カードのカードリーダー、決済カード（例えば、ＩＣカード）の読み取り機等である。
【０１８０】
サーバ装置２１は、認証情報格納部１１１、サーバ受信部２１２、サーバ取得部１１３、サーバ判断部１１４、サーバ処理部１１５を備える。
【０１８１】
携帯端末２２は、携帯格納部１２１、携帯送信部２２２、携帯受信部１２２を備える。
【０１８２】
決済端末２３は、第一決済取得部１３１、決済識別子生成部１３２、第二決済取得部１３３、決済受信部２３１、決済送信部２３２を備える。
【０１８３】
サーバ装置２１を構成するサーバ受信部２１２は、１以上のカード関連情報と１以上の携帯関連情報とを、決済端末２３から受信する。なお、カード関連情報は、決済識別子とカード識別子とを有する。また、携帯関連情報は、決済識別子と携帯識別子とを有する。なお、実施の形態１で述べた通り、カード関連情報と携帯関連情報とは、決済識別子を共用していても良い。つまり、サーバ受信部２１２は、決済識別子とカード識別子と携帯識別子とを受信しても良い。
【０１８４】
携帯端末２２を構成する携帯送信部２２２は、近距離無線通信により、携帯格納部１２１に格納されている携帯識別子を決済端末２３に送信する。
【０１８５】
決済端末２３を構成する決済受信部２３１は、近距離無線通信により、携帯識別子を携帯端末２２から受信する。
【０１８６】
決済送信部２３２は、１以上のカード関連情報と、１以上の携帯関連情報とを、サーバ装置２１に送信する。ここでのカード関連情報は、第二決済取得部１３３が取得した決済識別子と第一決済取得部１３１が取得したカード識別子とを有する。また、携帯関連情報は、第二決済取得部１３３が取得した決済識別子と決済送信部２３２が受信した携帯識別子とを有する。
【０１８７】
サーバ受信部２１２は、通常、無線または有線の通信手段で実現されるが、放送を受信する手段で実現されても良い。
【０１８８】
携帯送信部２２２、決済受信部２３１は、近距離無線通信手段により実現され得る。
【０１８９】
決済送信部２３２は、通常、無線または有線の通信手段で実現されるが、放送を受信する手段で実現されても良い。
【０１９０】
次に、決済システム２の動作について説明する。まず、サーバ装置２１の動作について説明する。サーバ装置２１の動作は、サーバ装置１１の動作と比較して、ステップＳ９０１における情報の受信元が異なるだけである。他は、図９のフローチャートの動作を行う。なお、ステップＳ９０１において、サーバ装置２１のサーバ受信部２１２は、１以上のカード関連情報と１以上の携帯関連情報とを、決済端末２３から受信する。
【０１９１】
次に、携帯端末２２の動作について説明する。携帯端末２２の図示しない受付部は、ユーザから携帯識別子の送信指示を受け付ける。そして、送信指示に応じて、携帯送信部２２２は、携帯格納部１２１から携帯識別子を読み出す。次に、携帯送信部２２２は、携帯識別子を、近距離無線通信により、決済端末２３に送信する。また、携帯受信部１２２は、決済のための処理に関して、認証処理の結果を受信しても良い。
【０１９２】
次に、決済端末２３の動作について、図１４のフローチャートを用いて説明する。
【０１９３】
（ステップＳ１４０１）第一決済取得部１３１は、決済カードからカード識別子を取得したか否かを判断する。カード識別子を取得すればステップＳ１４０２に行き、カード識別子を取得しなければステップＳ１４０１に戻る。
【０１９４】
（ステップＳ１４０２）決済受信部２３１は、近距離無線通信により、携帯識別子を携帯端末２２から受信したか否かを判断する。携帯識別子を受信すればステップＳ１４０３に行き、受信しなければステップＳ１４０２に戻る。
【０１９５】
（ステップＳ１４０３）第二決済取得部１３３は、決済識別子を取得する。
【０１９６】
（ステップＳ１４０４）決済送信部２３２は、送信する情報を構成する。なお、送信する情報は、通常、ステップＳ１４０１で受信されたカード識別子、ステップＳ１４０２で受信された携帯識別子、およびステップＳ１４０３で取得された決済識別子を有する。また、かかる情報は、決済識別子を共用したカード関連情報と携帯関連情報である、と言える。
【０１９７】
（ステップＳ１４０５）決済送信部２３２は、ステップＳ１４０４で構成した情報をサーバ装置２１に送信する。なお、決済送信部２３２は、サーバ装置２１と通信するための情報（例えば、サーバ装置２１のＩＰアドレスやＭＡＣアドレス等）を保持している、とする。
【０１９８】
なお、図１４のフローチャートにおいて、電源オフや処理終了の割り込みにより処理は終了する。
【０１９９】
また、図１４のフローチャートにおいて、決済識別子を取得する処理（ステップＳ１４０３）は無くても良い。
【０２００】
また、図１４のフローチャートにおいて、カード識別子の受信と、携帯識別子の受信の順序は問わない。
【０２０１】
以下、本実施の形態における決済システム２の具体的な動作について説明する。決済システム２の概念図は図１と同様である。
【０２０２】
今、サーバ装置１１の認証情報格納部１１１は、図６に示す認証情報管理表を保持している。また、サーバ装置１１は、図示しない記録媒体または認証情報格納部１１１に、図７に示す店舗端末電波情報管理表を保持している。
【０２０３】
かかる状況において、ユーザ「田中一郎」は、新幹線に乗車中に、車内で移動する店舗「８８８８」において、商品を購入し、自分のクレジットカードで決済を行うために、販売員に自分のクレジットカードを渡した。また、田中一郎は、保持している自分の携帯端末２２の決済用アプリを起動させた、とする。そして、携帯端末２２の携帯送信部２２２は、携帯識別子「０９０−１２３４−１１２２」を携帯格納部１２１から読み出し、近距離無線通信により、決済端末２３に送信する。
【０２０４】
次に、販売員は、クレジットカードを受け取り、決済端末２３にクレジットカードを読ませた。また、販売員は、販売した商品ＩＤ「００１」および金額「２５００円」を、決済端末２３に入力する。そして、決済端末１３の第一決済取得部１３１は、クレジットカード番号「１２３４５６７８」を取得する。決済受信部２３１は、近距離無線通信により、携帯識別子「０９０−１２３４−１１２２」を携帯端末２２から受信する。
【０２０５】
次に、図示しない決済受付部は、販売員が入力した商品ＩＤ「００１」および金額「２５００円」を受け付ける。次に、決済送信部２３２は、クレジットカード番号「１２３４５６７８」と、受信された携帯番号「０９０−１２３４−１１２２」と、受け付けられた商品ＩＤ「００１」および金額「２５００円」とを用いて送信する情報「１２３４５６７８，０９０−１２３４−１１２２，００１，２５００円」を構成する。そして、決済送信部２３２は、情報「１２３４５６７８，０９０−１２３４−１１２２，００１，２５００円」をサーバ装置２１に送信する。
【０２０６】
次に、サーバ装置２１のサーバ受信部１１２は、カード関連情報と携帯関連情報とを含む情報「１２３４５６７８，０９０−１２３４−１１２２，００１，２５００円」を受信し、バッファに蓄積する。
【０２０７】
次に、サーバ取得部１１３は、バッファに存在する情報の中のカード識別子と携帯識別子の組「１２３４５６７８，０９０−１２３４−１１２２」を取得する。次に、サーバ判断部１１４は、組情報「１２３４５６７８，０９０−１２３４−１１２２」をキーとして、図６の認証情報管理表を検索する。そして、サーバ判断部１１４は、組情報「１２３４５６７８，０９０−１２３４−１１２２」と一致する認証情報が、図６の「ＩＤ＝１」のレコードに存在すると判断する。そして、サーバ処理部１１５は、認証許可に対応する認証処理を行う。認証処理は、例えば、クレジットカード番号「１２３４５６７８」に対して、「２５００円」の決済を行う処理である。また、認証処理は、例えば、携帯端末１２または/および決済端末１３に、認証許可または決済完了を示す情報を送信することでも良い。
【０２０８】
以上、本実施の形態によれば、高速の移動体の中や地下等のあらゆる環境においても、決済端末と一定以内の相対距離の中に、ユーザが保持している携帯端末が存在することが保証できる結果、決済端末や携帯端末の絶対位置が定まりにくい環境においても、決済ための認証処理が正しく行える。その結果、例えば、電車や飛行機等の移動体の内部、地下等で行う決済処理においても利用できる。
【０２０９】
なお、本実施の形態における情報処理装置を実現するソフトウェアは、以下のようなプログラムである。つまり、このプログラムは、記録媒体に、決済カードを識別するカード識別子と、携帯端末を識別する携帯識別子との組である１以上の認証情報を格納しており、コンピュータを、決済を識別する第一決済識別子とカード識別子とを有する１以上のカード関連情報と、決済を識別する１以上の第二決済識別子を有する１以上の携帯関連情報とを受信するサーバ受信部と、前記サーバ受信部が受信した１以上のカード関連情報、１以上の携帯関連情報、および前記記録媒体の１以上の認証情報を用いて、決済が正当であるか否かを判断するサーバ判断部と、前記サーバ判断部が決済が正当であると判断した場合のみ、認証許可に対応する処理を行うサーバ処理部として機能させるためのプログラムであって、前記サーバ受信部が受信した携帯関連情報は第二決済識別子を近距離無線通信により受信した前記携帯端末が送信した情報、または前記サーバ受信部が受信した携帯識別子は前記携帯端末から近距離無線通信により受信した前記決済端末が送信した情報である、プログラムである。
【０２１０】
上記プログラムにおいて、前記携帯関連情報は、第二決済識別子と携帯識別子とを有し、前記カード関連情報が有する第一決済識別子と前記携帯関連情報が有する第二決済識別子とは、決済を識別する同じ種類の情報である決済識別子であり、前記サーバ受信部が受信した１以上のカード関連情報、および１以上の携帯関連情報のうちで、同一の決済識別子と対になるカード識別子と携帯識別子の組を取得するサーバ取得部として、コンピュータをさらに機能させ、前記サーバ判断部は、前記サーバ取得部が取得したカード識別子と携帯識別子の組と一致する認証情報が、前記記録媒体に存在するか否かを判断するものとして、コンピュータを機能させることは好適である。
【０２１１】
（実施の形態４）
本実施の形態において、実施の形態２と比較して、カード関連情報と携帯関連情報とをサーバ装置に送信するのは、携帯端末である点が異なる。なお、実施の形態２において、決済端末がカード関連情報を送信し、携帯端末が携帯関連情報を送信した。
【０２１２】
本実施の形態における決済システム３の概念図は、図１と同様である。なお、図１における符号は、決済システム３の符号とは異なる。
【０２１３】
図１５は、本実施の形態における決済システム３のブロック図である。決済システム３は、サーバ装置３１、携帯端末３２、決済端末３３を備える。ここで、携帯端末３２は、商品を購入するユーザが保持している端末であり、携帯電話、いわゆるスマートフォン、携帯のタブレット端末等である。また、決済端末３３は、商品購入の決済を行う端末であり、例えば、決済カードのカードリーダー、決済カード（例えば、ＩＣカード）の読み取り機等である。
【０２１４】
また、サーバ装置３１は、認証情報格納部１１１、サーバ受信部３１２、サーバ取得部１１３、サーバ判断部１１４、サーバ処理部１１５を備える。また、携帯端末３２は、携帯格納部１２１、携帯受信部３２２、携帯送信部３２３を備える。さらに、決済端末３３は、第一決済取得部１３１、決済識別子生成部１３２、第二決済取得部１３３、決済送信部３３３を備える。
【０２１５】
サーバ装置３１を構成するサーバ受信部３１２は、１以上のカード関連情報と１以上の携帯関連情報とを、携帯端末３２から受信する。なお、カード関連情報は、決済識別子とカード識別子とを有する。また、携帯関連情報は、決済識別子と携帯識別子とを有する。なお、ここで受信するカード関連情報と携帯関連情報は、決済識別子を共用していても良い。つまり、サーバ受信部３１２は、決済識別子とカード識別子と携帯識別子とを受信しても良い。
【０２１６】
携帯端末３２を構成する携帯受信部３２２は、近距離無線通信により、決済識別子とカード識別子とを、決済端末３３から受信する。
【０２１７】
携帯送信部３２３は、携帯関連情報およびカード関連情報をサーバ装置３１に送信する。なお、ここで、カード関連情報と携帯関連情報は、決済識別子を共用していても良い。つまり、携帯送信部３２３は、決済識別子とカード識別子と携帯識別子とを送信しても良い。また、携帯送信部３２３は、携帯格納部１２１に格納されている携帯識別子を読み取り、当該携帯識別子、携帯受信部３２２が受信した決済識別子、および携帯受信部３２２が受信したカード識別子とを用いて、送信する情報を構成し、当該構成した情報をサーバ装置３１に送信する。
【０２１８】
決済端末３３を構成する決済送信部３３３は、近距離無線通信により、カード識別子と決済識別子とを携帯端末３２に送信する。なお、決済送信部３３３は、第一決済取得部１３１が取得したカード識別子と、第二決済取得部１３３が取得した決済識別子とを用いて、情報を携帯端末３２に送信する。
【０２１９】
サーバ受信部３１２は、通常、無線または有線の通信手段で実現されるが、放送を受信する手段で実現されても良い。
【０２２０】
携帯受信部３２２、決済送信部３３３は、近距離無線通信手段により実現され得る。
【０２２１】
携帯送信部３２３は、通常、無線または有線の通信手段で実現されるが、放送手段で実現されても良い。
【０２２２】
次に、決済システム３の動作について説明する。まず、サーバ装置３１の動作について説明する。サーバ装置３１の動作は、サーバ装置１１の動作と比較して、ステップＳ９０１における情報の受信元が異なるだけである。他は、図９のフローチャートの動作を行う。なお、ステップＳ９０１において、サーバ装置３１のサーバ受信部２１２は、１以上のカード関連情報と１以上の携帯関連情報とを、携帯端末３２から受信する。
【０２２３】
次に、携帯端末３２の動作について説明する。まず、携帯端末３２を構成する携帯受信部３２２は、近距離無線通信により、決済識別子とカード識別子とを、決済端末３３から受信する。次に、携帯送信部３２３は、携帯格納部１２１から携帯識別子を読み出す。次に、携帯送信部３２３は、携帯識別子と決済識別子とカード識別子とから、送信する情報を構成する。なお、送信する情報は、携帯識別子と決済識別子とカード識別子とを有する。また、送信する情報は、携帯関連情報およびカード関連情報を有する、とも言える。そして、次に、携帯送信部３２３は、携帯関連情報およびカード関連情報をサーバ装置３１に送信する。
【０２２４】
次に、決済端末３３の動作について、図１６のフローチャートを用いて説明する。
【０２２５】
（ステップＳ１６０１）第一決済取得部１３１は、決済カードからカード識別子を取得したか否かを判断する。カード識別子を取得すればステップＳ１６０２に行き、カード識別子を取得しなければステップＳ１６０１に戻る。
【０２２６】
（ステップＳ１６０２）第二決済取得部１３３は、決済識別子を取得する。
【０２２７】
（ステップＳ１６０３）決済送信部２３２は、送信する情報を構成する。なお、送信する情報は、通常、ステップＳ１６０１で受信されたカード識別子、ステップＳ１６０２で取得された決済識別子を有する。
【０２２８】
（ステップＳ１６０４）決済送信部３３３は、近距離無線通信により、ステップＳ１６０３で構成した情報を携帯端末３２に送信する。なお、ステップＳ１６０３で構成した情報は、カード識別子と決済識別子と含む。
【０２２９】
なお、図１６のフローチャートにおいて、電源オフや処理終了の割り込みにより処理は終了する。
【０２３０】
また、図１６のフローチャートにおいて、決済識別子を取得する処理（ステップＳ１６０２）は無くても良い。
【０２３１】
以下、本実施の形態における決済システム３の具体的な動作について説明する。決済システム３の概念図は図１と同様である。
【０２３２】
今、サーバ装置１１の認証情報格納部１１１は、図６に示す認証情報管理表を保持している。また、認証情報格納部１１１は、図７に示す店舗端末電波情報管理表を保持している。
【０２３３】
かかる状況において、ユーザ「田中一郎」は、新幹線に乗車中に、車内で移動する店舗「８８８８」において、商品を購入し、自分のクレジットカードで決済を行うために、販売員に自分のクレジットカードを渡した。
【０２３４】
次に、販売員は、クレジットカードを受け取り、決済端末２３にクレジットカードを読ませた。また、販売員は、販売した商品ＩＤ「００１」および金額「２５００円」を、決済端末２３に入力する。そして、決済端末３３の図示しない決済受付部が商品ＩＤ「００１」および金額「２５００円」を受け付ける。また、決済端末１３の第一決済取得部１３１は、クレジットカード番号「１２３４５６７８」を取得する。
【０２３５】
次に、決済送信部３３３は、第一決済取得部１３１が取得したクレジットカード番号、および決済端末３３が受け付けた商品ＩＤ「００１」と金額「２５００円」から、送信する情報「１２３４５６７８，００１，２５００円」を構成する。次に、決済送信部３３３は、近距離無線通信により、構成した情報「１２３４５６７８，００１，２５００円」を携帯端末３２に送信する。
【０２３６】
次に、携帯端末３２の携帯受信部３２２は、近距離無線通信により、カード識別子とを含む情報「１２３４５６７８，００１，２５００円」を、決済端末３３から受信する。
【０２３７】
次に、携帯送信部３２３は、携帯格納部１２１から携帯番号「０９０−１２３４−１１２２」を読み出す。次に、携帯送信部３２３は、受信した情報「１２３４５６７８，００１，２５００円」と、携帯番号「０９０−１２３４−１１２２」とから、送信する情報「１２３４５６７８，０９０−１２３４−１１２２，００１，２５００円」を構成する。なお、送信する情報は、携帯識別子とカード識別子とを有する。
【０２３８】
次に、携帯送信部３２３は、携帯関連情報およびカード関連情報を有する情報「１２３４５６７８，０９０−１２３４−１１２２，００１，２５００円」を、サーバ装置３１に送信する。
【０２３９】
次に、サーバ装置３１のサーバ受信部３１２は、カード関連情報と携帯関連情報とを含む情報「１２３４５６７８，０９０−１２３４−１１２２，００１，２５００円」を受信し、バッファに蓄積する。
【０２４０】
次に、サーバ取得部１１３は、バッファに存在する情報の中のカード識別子と携帯識別子の組「１２３４５６７８，０９０−１２３４−１１２２」を取得する。次に、サーバ判断部１１４は、組情報「１２３４５６７８，０９０−１２３４−１１２２」をキーとして、図６の認証情報管理表を検索する。そして、サーバ判断部１１４は、組情報「１２３４５６７８，０９０−１２３４−１１２２」と一致する認証情報が、図６の「ＩＤ＝１」のレコードに存在すると判断する。そして、サーバ処理部１１５は、認証許可に対応する認証処理を行う。認証処理は、例えば、クレジットカード番号「１２３４５６７８」に対して、「２５００円」の決済を行う処理である。また、認証処理は、例えば、携帯端末１２または／および決済端末１３に、認証許可または決済完了を示す情報を送信することでも良い。
【０２４１】
以上、本実施の形態によれば、電車や飛行機等の移動体の内部、地下等で行う決済処理においても、利用できる。
【０２４２】
なお、本実施の形態において、決済端末３３から携帯端末３２を経由して、携帯関連情報がサーバ装置３１に送信された。つまり、本実施の形態において、決済端末３３から携帯端末３２に携帯関連情報の送信指示を出していた。しかし、サーバ装置３１から携帯関連情報の送信指示を出しても良い。
【０２４３】
かかる場合、概ね、以下のような処理手順となる。なお、かかる場合、サーバ装置３１はサーバ送信部Ａ１３をも有する。
（１）決済端末３３の決済送信部３３３は、携帯端末３２にカード関連情報を送信する。
（２）携帯端末３２の携帯受信部３２２は、決済端末３３からカード関連情報を受信する。
（３）携帯端末３２の携帯送信部３２３は、サーバ装置３１にカード関連情報を送信する。なお、この携帯端末３２は、悪用者の携帯端末３２である可能性がある。
（４）サーバ装置３１のサーバ受信部３１２は、カード関連情報を受信する。
（５）サーバ装置３１のサーバ取得部１１３は、カード関連情報を用いて、正規の携帯識別子を取得する。
（６）サーバ装置３１のサーバ送信部Ａ１３は、正規の携帯識別子で識別する携帯端末３２に携帯関連情報の送信指示を送信する。
（７）携帯端末３２の携帯受信部３２２は、携帯関連情報の送信指示を受信する。
（８）携帯端末３２の携帯送信部３２３は、取得された決済識別子（例えば、周辺のＳＳＩＤ）をサーバ装置３１に送信する。なお、通常、携帯受信部１２２が周辺のＳＳＩＤを受信している。
（９）サーバ装置３１のサーバ受信部３１２は、決済識別子を受信する。
（１０）サーバ装置３１のサーバ判断部１１４は、受信された決済識別子を用いて、携帯端末３２が正当であるか否か（決済が正当であるか否か）を判断する。
【０２４４】
以後、上記実施の形態で説明した処理と同様の処理がなされ、正当であると判断された場合のみ、決済処理が履行される。
【０２４５】
なお、本実施の形態におけるサーバ装置を実現するソフトウェアは、以下のようなプログラムである。つまり、このプログラムは、記録媒体に、決済カードを識別するカード識別子と、携帯端末を識別する携帯識別子との組である１以上の認証情報を格納しており、コンピュータを、決済を識別する第一決済識別子とカード識別子とを有する１以上のカード関連情報と、決済を識別する１以上の第二決済識別子を有する１以上の携帯関連情報とを受信するサーバ受信部と、前記サーバ受信部が受信した１以上のカード関連情報、１以上の携帯関連情報、および前記記録媒体の１以上の認証情報を用いて、決済が正当であるか否かを判断するサーバ判断部と、前記サーバ判断部が決済が正当であると判断した場合のみ、認証許可に対応する処理を行うサーバ処理部として機能させるためのプログラムであって、前記サーバ受信部が受信した携帯関連情報は第二決済識別子を近距離無線通信により受信した前記携帯端末が送信した情報、または前記サーバ受信部が受信した携帯識別子は前記携帯端末から近距離無線通信により受信した前記決済端末が送信した情報である、プログラムである。
【０２４６】
上記プログラムにおいて、前記携帯関連情報は、第二決済識別子と携帯識別子とを有し、前記カード関連情報が有する第一決済識別子と前記携帯関連情報が有する第二決済識別子とは、決済を識別する同じ種類の情報である決済識別子であり、前記サーバ受信部が受信した１以上のカード関連情報、および１以上の携帯関連情報のうちで、同一の決済識別子と対になるカード識別子と携帯識別子の組を取得するサーバ取得部として、コンピュータをさらに機能させ、前記サーバ判断部は、前記サーバ取得部が取得したカード識別子と携帯識別子の組と一致する認証情報が、前記記録媒体に存在するか否かを判断するものとして、コンピュータを機能させることは好適である。  また、上記の実施の形態において、携帯端末と決済端末とが相対的に近くに存在することを保証し、正当に決済処理を行うための認証を行える決済システムについて説明した。また、上記の各実施の形態において、サーバ装置が受信する情報、サーバ装置に情報を送信する端末は異なったが、携帯端末と決済端末とが相対的に近くに存在することを保証している点が共通する。
【０２４７】
上記の実施の形態の具体例において、主として、携帯識別子を携帯の電話番号とした。しかし、携帯の電話番号を利用した場合、個人情報保護の観点から問題が生じる場合がある。従って、携帯識別子は、例えば、ＭＡＣアドレスが好適である。
【０２４８】
また、図１７は、本明細書で述べたプログラムを実行して、上述した種々の実施の形態の決済システムを実現するコンピュータの外観を示す。上述の実施の形態は、コンピュータハードウェア及びその上で実行されるコンピュータプログラムで実現され得る。図１７は、このコンピュータシステム３００の概観図であり、図１８は、システム３００のブロック図である。
【０２４９】
図１７において、コンピュータシステム３００は、ＣＤ−ＲＯＭドライブを含むコンピュータ３０１と、キーボード３０２と、マウス３０３と、モニタ３０４とを含む。
【０２５０】
図１８において、コンピュータ３０１は、ＣＤ−ＲＯＭドライブ３０１２に加えて、ＭＰＵ３０１３と、ＭＰＵ３０１３、ＣＤ−ＲＯＭドライブ３０１２に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０２５１】
コンピュータシステム３００に、上述した実施の形態の決済システムの機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２５２】
プログラムは、コンピュータ３０１に、上述した実施の形態の決済システムの機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２５３】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０２５４】
また、上記プログラムを実行するコンピュータは、単数であってもよく、複数であってもよい。すなわち、集中処理を行ってもよく、あるいは分散処理を行ってもよい。
【０２５５】
また、上記各実施の形態において、一の装置に存在する２以上の通信手段は、物理的に一の媒体で実現されても良いことは言うまでもない。
【０２５６】
また、上記各実施の形態において、各処理（各機能）は、単一の装置（システム）によって集中処理されることによって実現されてもよく、あるいは、複数の装置によって分散処理されることによって実現されてもよい。
【０２５７】
本発明は、以上の実施の形態に限定されることなく、種々の変更が可能であり、それらも本発明の範囲内に包含されるものであることは言うまでもない。
【産業上の利用可能性】
【０２５８】
以上のように、本発明にかかる決済システムは、電車や飛行機等の移動体の内部、地下等で行う決済処理においても利用できる、という効果を有し、決済システム等として有用である。
【符号の説明】
【０２５９】
Ａ、１、２、３  決済システム
Ａ１、１１、２１、３１  サーバ装置
Ａ２、１２、２２、３２  携帯端末
Ａ３、１３、２３、３３  決済端末
Ａ１１、１１１  認証情報格納部
Ａ１２、１１２、２１２、３１２  サーバ受信部
１１３  サーバ取得部
Ａ１４、１１４  サーバ判断部
１１５  サーバ処理部
１２１  携帯格納部
Ａ２２、１２２、３２２  携帯受信部
Ａ２３、１２３、２２２、３２３  携帯送信部
Ａ３１  決済格納部
１３１  第一決済取得部
１３２  決済識別子生成部
Ａ３３、１３３  第二決済取得部
Ａ３４、１３４  第一決済送信部
１３５  第二決済送信部
２３１  決済受信部
２３２、３３３  決済送信部
【図１】
2014191674.tif 000003
【図２】
2014191674.tif 000004
【図３】
2014191674.tif 000005
【図４】
2014191674.tif 000006
【図５】
2014191674.tif 000007
【図６】
2014191674.tif 000008
【図７】
2014191674.tif 000009
【図８】
2014191674.tif 000010
【図９】
2014191674.tif 000011
【図１０】
2014191674.tif 000012
【図１１】
2014191674.tif 000013
【図１２】
2014191674.tif 000014
【図１３】
2014191674.tif 000015
【図１４】
2014191674.tif 000016
【図１５】
2014191674.tif 000017
【図１６】
2014191674.tif 000018
【図１７】
2014191674.tif 000019
【図１８】
2014191674.tif 000020